(57)【特許請求の範囲】
【請求項１】
散水ヘッドの螺合又は点滴灌漑ヘッドの接続及び支持位置決めの機能を備えた灌漑用位置決め支持装置であって、
尖鋭端（１１）及び接続端（１２）を備えたテーパー状本体（１）と、
テーパー状本体（１）の接続端（１２）に設けられた接続装置（２）を含み、
接続装置（２）は接続端（１２）から延伸形成され、水流を案内するための収容部（２１）を備え、当該収容部（２１）には第１組付け部（２１ａ）、第２組付け部（２１ｂ）及び第３組付け部（２４）が設けられ、
収容部（２１）は中空部（２１’）を備え、中空部（２１’）から第１組付け部（２１ａ）、第２組付け部（２１ｂ）及び第３組付け部（２４）に向けて、第１水路（１１ａ）、第２水路（１１ｂ）及び第３水路（１１ｃ）が延伸形成され、第１水路（１１ａ）、第２水路（１１ｂ）及び第３水路（１１ｃ）の合流箇所にスイッチ部（２２）が設けられ、前記スイッチ部（２２）は、バルブ部（２２４）とプレート部（２２１）が組み合わされて収容部（２１）に設けられ、当該プレート部（２２１）は収容部（２１）の外表面に設けられ、且つその外表面から収容部（２１）内に枢設されて、バルブ部（２２４）と組み合わされることでスイッチ部（２２）をなし、
当該第１組付け部（２１ａ）及び第２組付け部（２１ｂ）は、１のホース及び他のホースを接続するためのものであり、当該第３組付け部（２４）は、散水ヘッド又は点滴灌漑ヘッドを組み付けるためのものであり、
テーパー状本体（１）は、１のエリアと他のエリアを接続するホースの接続経路を位置決めするよう地面に挿入され、スイッチ部（２２）は、中空部（２１’）から第１水路（１１ａ）への水流のオン／オフを制御する、灌漑用位置決め支持装置。
【請求項２】
当該収容部（２１１）の一端面には枢着孔（２１３）が設けられ、枢着孔（２１３）の径方向縁部には第１凸リブ（２１４ａ）及び第２凸リブ（２１４ｂ）が設けられ、第１凸リブ（２１４ａ）及び第２凸リブ（２１４ｂ）が間隔を置いて対称に設けられることで、第１位置規制部（２１２ａ）と第２位置規制部（２１２ｂ）が形成され、
当該プレート部（２２１）には凸部（２２３）、拡大部（２２１ａ）、第１止め部（２２２ａ）及び第２止め部（２２２ｂ）が設けられ、当該プレート部（２２１）の凸部（２２３）が枢着孔（２１３）に挿入されてバルブ部（２２４）の第１凹部（２２５ａ）に嵌合されるとともに、第１止め部（２２２ａ）及び第２止め部（２２２ｂ）が第１位置規制部（２１２ａ）及び第２位置規制部（２１２ｂ）に突き合わされ、
第１凸リブ（２１４ａ）と第２凸リブ（２１４ｂ）が第１止め部（２２２ａ）及び第２止め部（２２２ｂ）を制止させるストッパー壁を形成し、第１止め部（２２２ａ）及び第２止め部（２２２ｂ）は、第１位置規制部（２１２ａ）と第２位置規制部（２１２ｂ）の間において規定の範囲内で径方向に回動可能とされ、拡大部（２２１ａ）には止水リング（２３）が装入されて枢着孔（２１３）を密封することで、スイッチ部２２の組み合せが完了して、中空部（２１’）から第１水路（１１ａ）への水流のオン／オフ制御が可能とされる、請求項１に記載の灌漑用位置決め支持装置。
【請求項３】
当該バルブ部（２２４）は球状体であり、密封部（２２４ｂ）、通路（２２４ａ）、第１凹部（２２５ａ）及び第２凹部（２２５ｂ）を備える、請求項１に記載の灌漑用位置決め支持装置。
【請求項４】
当該枢着孔（２１３）はバルブ部（２２４）の第１凹部（２２５ａ）に対向する、請求項２に記載の灌漑用位置決め支持装置。
【請求項５】
散水ヘッドの螺合又は点滴灌漑ヘッドの接続及び位置決めが可能な灌漑用位置決め支持装置であって、
尖鋭端（１１）及び接続端（１２）を有するテーパー状本体（１）を備え、
当該接続端（１２）には接続装置（２）が延設され、当該接続装置（２）は収容部（２１）を備え、当該収容部（２１）が第１組付け部（２１ａ）、第２組付け部（２１ｂ）及び第３組付け部（２４）を延伸形成し、
収容部（２１）は中空部（２１’）を備え、中空部（２１’）から第１組付け部（２１ａ）、第２組付け部（２１ｂ）及び第３組付け部（２４）に向けて、第１水路（１１ａ）、第２水路（１１ｂ）及び第３水路（１１ｃ）が延伸形成され、第１水路（１１ａ）、第２水路（１１ｂ）及び第３水路（１１ｃ）の合流箇所にスイッチ部（２２）が設けられ、  
スイッチ部（２２）は、バルブ部（２２４）とプレート部（２２１）が組み合わされて収容部（２１）に設けられ、当該プレート部（２２１）は収容部（２１）の外表面に設けられ、且つその外表面から収容部（２１）内に枢設されて、バルブ部（２２４）と組み合わされてスイッチ部（２２）をなし、
スイッチ部（２２）は、第２水路（１１ｂ）及び第３水路（１１ｃ）から第１水路（１１ａ）への水流のオン／オフを単独制御する機能を可能とし、
当該第１組付け部（２１ａ）及び第２組付け部（２１ｂ）は、１のホース及び他のホースを接続するためのものであり、当該第３組付け部（２４）は、散水ヘッド又は点滴灌漑ヘッドを組み付けるためのものであり、
テーパー状本体（１）は、１のエリアと他のエリアを接続するホースの接続及び位置決めを可能とするよう地面に挿入される、灌漑用位置決め支持装置。
【請求項６】
第１組付け部（２１ａ）には、第１環状体（２５ａ’）を螺合するための雄ねじ（２１１ａ’）が設けられ、
第２組付け部（２１ｂ）には、第２環状体（２５ｂ’）を螺合するための雄ねじ（２１１ｂ’）が設けられ、
第１環状体（２５ａ’）と第２環状体（２５ｂ’）の双方には、第１組付け部（２１ａ）の雄ねじ（２１１ａ’）及び第２組付け部（２１ｂ）の雄ねじ（２１１ｂ’）との螺合に適するよう雌ねじが設けられている、請求項５に記載の灌漑用位置決め支持装置。
【請求項７】
第１組付け部（２１ａ）と第２組付け部（２１ｂ）には、雄ねじ（２１１ａ’，２１１ｂ’）沿いに弾性爪部（２６ａ，２６ｂ）が延設されている、請求項６に記載の灌漑用位置決め支持装置。
【請求項８】
弾性爪部（２６ａ，２６ｂ）は、複数の弾性片が間隔を置いて雄ねじ（２１１ａ’，２１１ｂ’）の径方向を取り巻くように配列されてなる、請求項７に記載の灌漑用位置決め支持装置。
【請求項９】
弾性爪部（２６ａ，２６ｂ）は、略テーパー状の環状板ばねである、請求項８に記載の灌漑用位置決め支持装置。
【請求項１０】
当該尖鋭端（１１）は、４つの等間隔を置いて外側へ延伸するリブ（１ａ，１ｂ，１ｃ，１ｄ）により形成される横断面をなし、これらリブ（１ａ，１ｂ，１ｃ，１ｄ）が接続端（１２）から尖鋭端（１１）にかけて次第に縮小している、請求項１に記載の灌漑用位置決め支持装置。
【発明の詳細な説明】
【技術分野】
【０００１】
本発明は、灌漑用ホースの接続、又は点滴灌漑装置、或いは地表における散水装置の位置決めに供される支持装置に関する。当該装置は杭状であり、使用者所望の経路計画に応じてホースを接続可能であるとともに、一端に散水ヘッド又は点滴灌漑ヘッドを組み付け可能である。当該装置の本体は一体構造のテーパー状本体であり、当該テーパー状本体は、４つの長尺のリブ部材が外側に延伸した軸方向中心線からなる。本体には、散水又は滴灌ヘッド等のための接続装置が設けられ、この接続装置にホースを接続可能である。
【背景技術】
【０００２】
周知の庭園用接続装置としては、複数のホースを接続してから地表に位置決めする位置決め支柱がある。支柱の一端には散水ヘッド又は点滴灌漑ヘッドが設けられており、分配・散水装置に接続されて、散水の計画経路を位置決めする。このような位置決め装置は、地面に抜き差し可能な簡易的な位置決め構造となっている。
【０００３】
通常、このような装置は灌漑システムにおける水路分布に用いられる。水路は、ホースが位置決め支柱に接続された後に灌漑に必要な経路に沿って分配されることでなり、位置決め支柱を地面に挿入することでホースの経路位置が固定される。灌漑システムは規模によらず、一般的には複数のホースが接続され、本支管から水源の配管まで延伸して接続される。
【０００４】
このような灌漑システムのフロースイッチは水源箇所に限定されている。即ち、水源箇所のみで水のオン／オフ制御が可能となっている。これは、地形の凹凸や日照的な要因によるものと考えられるが、一方で、灌漑においては水量の需給調整が必須であるとの課題がある。例えば、地面の低く窪んだ箇所では過剰に貯水される恐れがある一方、高くなっている箇所では水が流出して水量が供給不足となる可能性がある。しかし、この種の位置決め装置には単独で水流のオン／オフを制御するようなオン／オフ制御機能が備わっていないことから、植物ごとの給水需要に応じた調整が不可能である。位置決め支柱を地面から引き抜いて水の経路を変更することは可能であるが、灌漑経路の形式を変えたとしても、位置決め支柱ごとに単独で水を強制切断することは不可能である。
【０００５】
本発明の目的は、地面に挿入される安定的な接続灌漑を提供することで、１のエリアと他のエリアを接続し、ホースを１以上の位置に引いたままで散水灌漑するとともに、エリアごとに単独で水のオン／オフを制御可能とすることである。上述の課題を解決すべく、位置決め装置の散水ヘッドにはスイッチ構造が設けられる。本発明の他の目的は、この位置決め装置を接続経路の灌漑システムに使用するだけでなく、単体でも使用可能とすることである。以下に、本発明における特徴の要点を説明する。
【発明の概要】
【０００６】
本発明の灌漑用位置決め支持装置は、テーパー状本体と接続装置を含み、前記テーパー状本体が尖鋭端と接続端を備え、当該尖鋭端は位置決めするよう地面への挿入に供される。前記接続装置は組付け部、スイッチ部及び収容部を備え、当該組付け部がホースの接続、及び散水ヘッド又は点滴灌漑ヘッドの継手の組み付けに供される。これにより、ホースを接続して水流経路を案内するとともに、散水ヘッドを組み付けることで所定の散水位置を設定することが可能となる。
【０００７】
前記スイッチ部は収容部に設けられて、収容部における水流の出入りのオン／オフ制御に供される。前記組付け部は第１組付け部と第２組付け部及び第３組付け部を備え、テーパー状本体の接続端に設けられる。前記収容部は水流の出入りの案内に供され、第１組付け部、第２組付け部及び第３組付け部に延伸接続されて、第１水路、第２水路及び第３水路を形成する。
【０００８】
スイッチ部はバルブ部とプレート部が収容部で組み合わされてなり、収容部は分岐した管状中空体である。当該バルブ部は分岐管状の中央の合流箇所に設けられる。当該プレート部は収容部の外表面に設けられ、且つ、その外表面から収容部に枢設されてバルブ部と組み合わされ、スイッチ部をなす。
【図面の簡単な説明】
【０００９】
【図１】図１は、本発明の立体分解図である。
【図１−１】図１−１はテーパー状本体の横断面図を示す。
【図２】図２は、図１の接続装置を拡大した立体分解図である。
【図３】図３は、本発明の実施形態における組み合わせ時の断面図である。
【図４】図４は、本発明の実施形態における接続装置の拡大断面図である。
【図５】図５は、接続装置を別の側からみた拡大断面図である。
【図６】図６は、本発明における実施形態の模式図である。
【図７】図７は、本発明における他の実施形態の立体分解図である。
【図８】図８は、本発明の他の実施形態における接続装置の拡大断面図１である。
【図９】図９は、本発明の他の実施形態における接続装置の拡大断面図２である。
【図１０】図１０は、本発明の他の実施形態の模式図である。
【発明を実施するための形態】
【００１０】
本発明の十分な理解に供するべく、以下に好ましい実施例と図面を挙げて詳細に説明する。ここでは、当業者が本明細書の記載に基づき実施可能なよう、本発明の好ましい実施例の図面と組み合わせて更に以下のように説明するが、これにより本発明の技術範囲を限定するとの趣旨ではない。
【００１１】
図１〜図５を参照して、本発明の灌漑用位置決め支持装置における第１実施例は、テーパー状本体１及び接続装置２を含む。前記テーパー状本体１は尖鋭端１１及び接続端１２を備え、当該尖鋭端１１は、等間隔を置いて外側へ延伸するリブ１ａ，１ｂ，１ｃ，１ｄにより形成される横断面をなす。これらリブ１ａ，１ｂ，１ｃ，１ｄは、接続端１２から尖鋭端１１にかけて次第に縮小しており、テーパー状本体１にプラスチック剛性を供している。
【００１２】
前記接続装置２は、収容部２１、第１組付け部２１ａ、第２組付け部２１ｂ、第３組付け部２４及びスイッチ部２２を備え、当該第１組付け部２１ａにはホース継手を接続するための雌ねじ２１１ａが設けられ、当該第２組付け部２１ｂには他のホース継手を接続するための雄ねじ２１１ｂが設けられている。第２組付け部２１ｂには、更に環状カバー体２１５を螺合してもよく、当該環状カバー体２１５は一端が密封されており、且つ雌ねじ２１５ａが設けられている。環状カバー体２１５は、第２組付け部２１ｂを密封する場合に使用される。詳述すると、灌漑用位置決め支持装置は、ホースを灌漑経路の末端に接続する場合、最後の灌漑用位置決め支持装置の第２組付け部２１ｂを必ず密封せねばならない。このとき、第２組付け部２１ｂに環状カバー体２１５を螺合することで第２組付け部２１ｂが密封される。また、当該第３組付け部２４には、散水ヘッド又は点滴灌漑ヘッドの継手を外部接続するための雌ねじ２４１が設けられている。第３組付け部２４の下端には結合部２４２と末端２４２ａが設けられ、当該結合部２４２は収容部２１の頚部１１１に対し緊密に超音波接合される。当該末端２４２ａには止水リング２４３が装入される。また、前記収容部２１はテーパー状本体１の接続端１２に設けられる。正確には、接続端１２から分岐管状の収容部２１が延伸形成され、一端面に枢着孔２１３が設けられる。枢着孔２１３の径方向縁部には第１凸リブ２１４ａと第２凸リブ２１４ｂが設けられ、第１凸リブ２１４ａと第２凸リブ２１４ｂが間隔を置いて対称に設けられる。これにより、第１凸リブ２１４ａと第２凸リブ２１４ｂの間に第１位置規制部２１２ａと第２位置規制部２１２ｂが形成される。
【００１３】
前記収容部２１は水流の出入りを案内する。収容部２１が延伸して第１組付け部２１ａ、第２組付け部２１ｂ及び第３組付け部２４に接続されることで、第１水路１１ａ、第２水路１１ｂ及び第３水路１１ｃが形成される。
【００１４】
前記スイッチ部２２はバルブ部２２４とプレート部２２１からなり、当該プレート部２２１には、凸部２２３、拡大部２２１ａ、第１止め部２２２ａ及び第２止め部２２２ｂが設けられる。プレート部２２１は、スイッチ部２２を制御する機能を有する。プレート部２２１から一端側へ拡大部２２１ａが延伸形成され、更に拡大部２２１ａの一端面から凸部２２３が延伸形成される。そして、延伸する凸部２２３の両側に第１止め部２２２ａと第２止め部２２２ｂが延伸形成される。当該凸部２２３は先端幅が後端幅よりも大きい楔形をしている。また、当該バルブ部２２４は球状体であり、密封部２２４ｂ、通路２２４ａ、第１凹部２２５ａ及び第２凹部２２５ｂを備える。通路２２４ａはバルブ部２２４の軸心に設けられる。第１凹部２２５ａは第２凹部２２５ｂよりも大きく、且つバルブ部２２４の円周の両側に設けられる。当該第１凹部２２５ａは開口幅が奥部の幅よりも小さい溝状であって、バルブ部２２４に切り込まれている。
【００１５】
スイッチ部２２は収容部２１に設けられる。収容部２１は分岐した管状中空体であり、第１水路１１ａ、第２水路１１ｂ及び第３水路１１ｃを形成する。当該バルブ部２２４は第１水路１１ａ、第２水路１１ｂ及び第３水路１１ｃの合流箇所に設けられる。当該プレート部２２１は収容部２１の外表面に設けられ、且つその外表面から収容部２１内に枢設されて、バルブ部２２４と組み合わされることでスイッチ部２２をなす。続いて、前記スイッチ部２２を収容部２１に設けた組み合わせ形態を図３〜４に示す。当該スイッチ部２２のバルブ部２２４は収容部２１の中空部２１’に載置され、当該バルブ部２２４の第１凹部２２５ａが枢着孔２１３に対向する。更に、プレート部２２１の凸部２２３が枢着孔２１３に挿入され、バルブ部２２４の第１凹部の２２５ａに嵌合されるとともに、第１止め部２２２ａ及び第２止め部２２２ｂが第１位置規制部２１２ａ及び第２位置規制部２１２ｂに突き合わされる。このとき、第１凸リブ２１４ａと第２凸リブ２１４ｂが第１止め部２２２ａ及び第２止め部２２２ｂを制止させるストッパー壁を形成する。これにより、第１止め部２２２ａ及び第２止め部２２２ｂは、第１位置規制部２１２ａと第２位置規制部２１２ｂの間において規定の範囲内で径方向に回動可能となる。また、枢着孔２１３を塞いで漏水を防止するよう、拡大部２２１ａには止水リング２３が装入される。なお、バルブ部２２４の円周面は、回動時には常に結合部２４２の末端２４２ａに装入された止水リング２４３に当接する。換言すると、バルブ部２２４は、回動駆動時に止水リング２４３を介して結合部２４２の末端２４２ａと当接し、当該止水リング２４３がバルブ部２２４に回動時の潤滑機能と止水機能を供する。以上によりスイッチ部２２の組み合わせが完了し、収容部２１の中空部２１’内における水流のオン／オフ制御が可能となる。
【００１６】
図４〜６を参照する。スイッチ部２２のプレート部２２１がオン位置に設定されると、図４に示すように、水の流出がオン状態となる。図より、バルブ部２２４の通路２２４ａが軸方向に第１水路１１ａ及び中空部２１’に対向していることがわかる。これにより、中空部２１’に流入した水が通路２２４ａから第１水路１１ａに流動し、第１水路１１ａから流出することとなる。また、図５は、スイッチ部２２のプレート部２２１がオフ位置に設定され、水の流出がオフとなった状態を示している。このとき、当該バルブ部２２４の通路２２４ａは軸方向の第２水路１１ｂ及び第３水路１１ｃと対向し、密封部２２４ｂが第１水路１１ａに当接及び密封している。これより、中空部２１’の水は第１水路１１ａへの流動が不可能となる。
【００１７】
続いて、図６は本発明におけるホースと散水ヘッドを接続した模式図である。収容部２１はテーパー状本体１の接続端１２に設けられており、第１組付け部２１ａに１のホースＣが螺合され、当該第２組付け部２１ｂに他のホースＢが螺合され、当該第３組付け部２４に散水ヘッド又は点滴灌漑ヘッドの継手Ａが螺合される。そして、テーパー状本体１を地面に挿入すれば、散水装置の位置が固定される。
【００１８】
次に、図７及び図８は、本発明の灌漑用位置決め支持装置の他の実施形態を示す図である。当該実施形態と前記実施形態の違いは、第１組付け部２１ａ、第２組付け部２１ｂ及び第３組付け部２４にある。当該第１組付け部２１ａには第１環状体２５ａ’を螺合するための雄ねじ２１１ａ’が設けられ、当該第２組付け部２１ｂには第２環状体２５ｂ’を螺合するための雄ねじ２１１ｂ’が設けられる。第１環状体２５ａ’と第２環状体２５ｂ’の双方には、第１組付け部２１ａの雄ねじ２１１ａ’及び第２組付け部２１ｂの雄ねじ２１１ｂ’との螺合に適するよう雌ねじが設けられている。
【００１９】
第１組付け部２１ａと第２組付け部２１ｂには、雄ねじ２１１ａ’，２１１ｂ’沿いに弾性爪部２６ａ，２６ｂが延設されている。前記弾性爪部２６ａ，２６ｂは、複数の弾性片が間隔を置いて雄ねじ２１１ａ’，２１１ｂ’の径方向を取り巻くように配列されてなり、複数の弾性片からなる環状の弾性爪部２６ａ，２６ｂが雄ねじ２１１ａ’，２１１ｂ’から延伸形成されている。弾性爪部２６ａ，２６ｂは略テーパー状の環状板ばねである。
【００２０】
また、収容部２１の中空部２１’内から、軸方向に第１組付け部２１ａ、第２組付け部２１ｂ内に向かって軸管２７ａ，２７ｂが延伸形成される。当該第３組付け部２４には、散水ヘッド又は点滴灌漑ヘッドの継手Ａを外部接続するための雌ねじ２４１が設けられており、第１組付け部２１ａと第２組付け部２１ｂには、第１環状体２５ａ’と第２環状体２５ｂ’がそれぞれ螺設される。
【００２１】
以上より、ホースＢ，Ｃを第１組付け部２１ａと第２組付け部２１ｂに組み付ける方法としては、ホースＢ，Ｃを軸管２７ａ，２７ｂの外径に覆設する。即ち、ホースＢ，Ｃの一端の内径により軸管２７ａ，２７ｂの外径を覆い、弾性爪部２６ａ，２６ｂがホースＢ，Ｃの外径を包囲する。そして、第１環状体２５ａ’及び第２環状体２５ｂ’を雄ねじ２１１ａ’，２１１ｂ’に緊締する。これにより、対向する弾性爪部２６ａ，２６ｂが第１環状体２５ａ’及び第２環状体２５ｂ’により圧迫され、軸心へ向かって収縮するので、ホースＢ，Ｃを、第１組付け部２１ａ及び第２組付け部２１ｂに対して抜け落ちないようしっかりと押圧可能となる。また、第１組付け部２１ａと第２組付け部２１ｂの一端にホースを接続する必要がない場合は、第１組付け部２１ａ又は第２組付け部２１ｂに止水カバー２８を別途かぶせることで、水が流出しないよう第１組付け部２１ａ又は第２組付け部２１ｂを密封可能となる。
【００２２】
以上は本発明の好ましい実施例にすぎず、本発明の実施範囲を限定する主旨ではない。即ち、本発明の特許請求の範囲に基づき実施される等価な変更及び追加は、いずれも本発明の特許請求の範囲に含まれる。
【符号の説明】
【００２３】
１  テーパー状本体
１ａ  リブ
１ｂ  リブ
１ｃ  リブ
１ｄ  リブ
１１  尖鋭端
１１ａ  第１水路
１１ｂ  第２水路
１１ｃ  第３水路
１１１  頚部
１２  接続端
２  接続装置
２１  収容部
２１’  中空部
２１ａ  第１組付け部
２１１ａ  雌ねじ
２１ｂ  第２組付け部
２１１ｂ  雄ねじ
２１２ａ  第１位置規制部
２１２ｂ  第２位置規制部
２１３  枢着孔
２１４ａ  第１凸リブ
２１４ｂ  第２凸リブ
２１５  環状カバー体
２１５ａ  雌ねじ
２２  スイッチ部
２２１  プレート部
２２１ａ  拡大部
２２２ａ  第１止め部
２２２ｂ  第２止め部
２２３  凸部
２２４  バルブ部
２２４ａ  通路
２２４ｂ  密封部
２２５ａ  第１凹部
２２５ｂ  第２凹部
２３  止水リング
２４  第３組付け部
２４１  雌ねじ
２４２  結合部
２４２ａ  末端
２４３  止水リング
２１１ａ’  雄ねじ
２１１ｂ’  雄ねじ
２５ａ’  第１環状体
２５ｂ’  第２環状体
２６ａ  弾性爪部
２６ｂ  弾性爪部
２７ａ  軸管
２７ｂ  軸管
２８  止水カバー
Ａ  継手
Ｂ  ホース
Ｃ  ホース
【図１】
0005938793.tif 000002
【図１−１】
0005938793.tif 000003
【図２】
0005938793.tif 000004
【図３】
0005938793.tif 000005
【図４】
0005938793.tif 000006
【図５】
0005938793.tif 000007
【図６】
0005938793.tif 000008
【図７】
0005938793.tif 000009
【図８】
0005938793.tif 000010
【図９】
0005938793.tif 000011
【図１０】
0005938793.tif 000012